(57)【要約】      （修正有）【課題】電線の被覆を剥がさずに特別な工具無しで迅速で簡便に複数の電線を連結できる電線コネクタを提供することにある。【解決手段】電線コネクタが開示される。この電線コネクタは、第１方向に長い形状を有し、上部が開放されており、側面に複数の固定突起１２０及び軸開口部１１０が形成されている絶縁性の下部コネクタ１００と；前記第１方向に長い形状を有し、下部が開放されており、側面に、前記下部コネクタ１００の前記固定突起１２０が挿入される固定孔３２０及び前記軸開口部１１０に挿入される固定軸３１０が形成されており、前記下部コネクタ１００を覆う絶縁性の上部コネクタ３００と；前記下部コネクタ１００の内部に組み立てられ、電線４００の被覆を剥がし、前記電線の心線４１０と電気的に連結される複数の切刃２１０を含む伝導性部材２００と；とを含む。【選択図】図１
2011065978.tif 000002
【特許請求の範囲】
【請求項１】
第１方向に長い形状を有し、上部が開放されており、側面に複数の固定突起(１２０, ５２０)及び軸開口部(１１０, ５１０)が形成されている絶縁性の下部コネクタ(１００, ７００)と、
前記第１方向に長い形状を有し、下部が開放されており、側面に、前記下部コネクタ(１００, ７００)の前記固定突起(１２０, ５２０)が挿入される固定孔(３２０, ６２０)及び前記軸開口部(１１０, ５１０)に挿入される固定軸(３１０, ６１０)が形成されており、前記下部コネクタ(１００, ７００)を覆う絶縁性の上部コネクタ(３００, ６００)と、
前記下部コネクタ(１００, ７００)の内部に組み立てられ、電線(４００, ６５０)の被覆を剥がし、前記電線(４００, ６５０)の心線と電気的に連結される複数の切刃(２１０, ５７０, ５８０)を含む伝導性部材(２００, ５５０)と、
を含む、電線コネクタ。
【請求項２】
前記下部コネクタ(１００, ７００)及び上部コネクタ(３００, ６００)は、前面及び後面に前記電線(４００, ６５０)を挿入するための支持溝(１３０, ３３０, ５３０, ６３０)が形成されている、請求項１に記載の電線コネクタ。
【請求項３】
前記上部コネクタ(３００, ６００)は、上面の裏側から下方に突出形成され、前記電線(４００,６５０)を通過させる複数の案内孔(３５０, ６４０)が形成されている、請求項２に記載の電線コネクタ。
【請求項４】
前記伝導性部材(２００, ５５０)の前記切刃(２１０, ５７０, ５８０)は、下方に行くほど距離が次第に狭まる相対向する２つのカッティング面を有し、前記切刃(２１０, ５７０, ５８０)は二重に形成されている、請求項３に記載の電線コネクタ。
【請求項５】
前記カッティング面上に複数のカッティング突起が形成されている、請求項４に記載の電線コネクタ。
【請求項６】
前記上部コネクタ(３００)、前記伝導性部材(２００)及び前記下部コネクタ(１００)は、前記固定軸(３１０)を基準に対称形成されている、請求項５に記載の電線コネクタ。
【請求項７】
前記電線コネクタは、前記固定軸(６１０)を基準に第１領域と第２領域とに区分され、
前記第１領域には、前記固定突起(５２０)、前記固定孔(６２０)及び前記案内孔(６４０)が形成され、前記電線(６５０)が前記第１方向に挿入され、
前記第２領域には、上部コネクタ(６００)及び下部コネクタ(５００)の側面に前記支持溝(５３０,６３０)を含み、前記第１方向と垂直の第２方向に電線が前記支持溝(５３０, ６３０)を通じて挿入される、請求項５に記載の電線コネクタ。
【請求項８】
第１方向に長い形状を有し、上部が開放されており、側面に複数の回転孔(７１０)が形成されている絶縁性の下部コネクタ(７００)と、
前記第１方向に長い形状を有し、裏側に、下方に突出形成されて電線(９５０)を通過させる複数の案内孔(８２０)を有し、前記下部コネクタ(７００)を覆う絶縁性の上部コネクタ(８００)と、
前記上部コネクタ(８００)上に配置され、前記下部コネクタ(７００)の前記回転孔(７１０)と回転芯(９００)により結合され、前記上部コネクタ(８００)を加圧固定する複数の固定片(８５０)と、
前記下部コネクタ(７００)の内部に組み立てられ、前記電線(９５０)の被覆を剥がし、前記電線(９５０)の心線と電気的に連結される複数の切刃(７６０)を含む伝導性部材(７５０)と、
を含む、電線コネクタ。
【請求項９】
前記下部コネクタ(７００)の前面及び後面に、前記電線(９５０)を挿入するための挿入孔(７２０)が形成されている、請求項８に記載の電線コネクタ。
【請求項１０】
前記伝導性部材(７５０)の前記切刃(７６０)は、下方に行くほど次第に距離が狭まる相対向する２つのカッティング面を有し、前記切刃(７６０)は、二重に形成されている、請求項９に記載の電線コネクタ。
【請求項１１】
前記電線コネクタの一端部に形成された前記挿入孔(７２０)に、電子機器と連結されている電線が挿入される、請求項１０に記載の電線コネクタ。
【請求項１２】
第１方向に長い形状を有し、上部が開放されており、底面に、上方に突出する複数の固定突起(１２, ５２)が形成され、側面に軸受け部(１１)が穿設され、長さ方向の前端部及び後端部にそれぞれ、電線(４０, ６５)を挿入するとともに支持するための支持溝(１３, ５３, ６３)が形成されている絶縁性の下部コネクタ(１０, ５０)と、
前記第１方向に長い形状を有し、下部が開放されており、側面に、前記下部コネクタ(１０, ５０)の前記固定突起(１２, ５２)が挿入される固定孔(３２, ６２)及び前記軸受け部(１１)に挿通する固定軸(３１, ６１)が形成されており、長さ方向の前端部及び後端部にそれぞれ電線(４０, ６５)を挿入するとともに支持するための支持溝(１３, ５３, ６３)が形成されており、前記下部コネクタ(１０, ５０)を覆う絶縁性の上部コネクタ(３０, ６０)と、
前記下部コネクタ(１０, ５０)の内部に組み立てられ、電線(４０, ６５)の被覆を剥がし、前記電線(４０, ６５)の心線と電気的に連結される複数の切刃(２１, ５７, ５８)を含む伝導性部材(２０, ５５, ７０, ８０)と、
を含む、電線コネクタ。
【請求項１３】
前記上部コネクタ(３０, ６０)は、上面の裏側から下方に突出形成され、前記電線(４０, ６５)を通過させる複数の案内孔(３５, ６４)を有する、請求項１２に記載の電線コネクタ。
【請求項１４】
前記伝導性部材(２０, ５５, ７０, ８０)の前記切刃(２１, ５７, ５８)は、下方に行くほど次第に距離が狭まる相対向する２つのカッティング面が長さ方向に沿って複数個形成され、前記切刃(２１, ５７, ５８)は二重に形成されている、請求項１２に記載の電線コネクタ。
【請求項１５】
前記カッティング面上に複数のカッティング突起が形成されている、請求項１４に記載の電線コネクタ。
【請求項１６】
前記上部コネクタ(３０, ６０)、前記伝導性部材(２０, ５５, ７０, ８０)及び前記下部コネクタ(１０, ５０)は、前記固定軸(３１)を基準に対称形成されている、請求項１２に記載の電線コネクタ。
【請求項１７】
前記電線コネクタは、前記固定軸(６１)を基準に第１領域と第２領域とに区分され、
前記第１領域には、前記固定突起(５２)、前記固定孔(６２)及び前記案内孔(６４)が形成され、前記電線(６５)が前記第１方向に挿入され、
前記第２領域には、上部コネクタ(６０)及び下部コネクタ(５０)の側面に前記支持溝(５３, ６３)を含み、前記第１方向と垂直の第２方向に前記電線(６５)が前記支持溝(５３, ６３)を通じて挿入され、
前記伝導性部材(５５)は、側面に突出する切刃(５８)を含む、請求項１２に記載の電線コネクタ。
【請求項１８】
前記上部コネクタの中央部の裏面には伝導性部材(２０)を加圧固定させるための固定片(３６)が形成されている、請求項１２に記載の電線コネクタ。
【請求項１９】
前記伝導性部材は、長い帯状の板材の中心部に長さ方向を沿って、直立するとともに上端部が尖った切刃(７１, ８１)が複数個形成されている、請求項１，８，１２のいずれか１項に記載の電線コネクタ。
【発明の詳細な説明】
【技術分野】
【０００１】
本発明は、電線コネクタに係り、特に、電線の被覆を剥がさずに連結できる電線コネクタに関するものである。
【背景技術】
【０００２】
分離されている２本以上の電線を連結する方法には、電線の被覆を剥がした後、露出された心線を互いに継ぎ合わせ、この継ぎ目部分に絶縁テープを巻き取る方法がある。
【０００３】
絶縁テープを使用する方法は、心線を撚り合わせるための工具を必要とし、継ぎ合わせる作業が面倒である他、感電などの危険性があり、安全性を保障できない。
【発明の概要】
【発明が解決しようとする課題】
【０００４】
本発明が解決しようとする技術的課題は、電線の被覆を剥がさずに特別な工具無しで迅速で簡便に複数の電線を連結できる電線コネクタを提供することにある。
【課題を解決するための手段】
【０００５】
本発明に係る電線コネクタは、
第１方向に長い形状を有し、上部が開放されており、側面に複数の固定突起及び軸開口部が形成されている絶縁性の下部コネクタと、
前記第１方向に長い形状を有し、下部が開放されており、側面に、前記下部コネクタの前記固定突起が挿入される固定孔及び前記軸開口部に挿入される固定軸が形成されており、前記下部コネクタを覆う絶縁性の上部コネクタと、
前記下部コネクタの内部に組み立てられ、電線の被覆を剥がし、前記電線の心線と電気的に連結される複数の切刃を含む伝導性部材と、を含む。
【０００６】
一方、本発明の他の実施例に係る電線コネクタは、
第１方向に長い形状を有し、上部が開放されており、側面に複数の固定孔が形成されている絶縁性の下部コネクタと、
前記第１方向に長い形状を有し、裏側に、下方に突出形成されて電線を通過させる複数の案内孔を有し、前記下部コネクタを覆う絶縁性の上部コネクタと、
前記上部コネクタ上に配置され、前記下部コネクタの前記固定孔と固定芯により結合され、前記上部コネクタを加圧固定する複数の固定片と、
前記下部コネクタの内部に組み立てられ、前記電線の被覆を剥がし、前記電線の心線と電気的に連結される複数の切刃を含む伝導性部材と、を含む。
【０００７】
一方、本発明のさらに他の実施例に係る電線コネクタは、第１方向に長い形状を有し、上部が開放されており、底面に、上方に突出する複数の固定突起が形成され、側面に軸受け部が穿設され、長さ方向の前端部及び後端部にそれぞれ、電線を挿入するとともに支持するための支持溝が形成されている絶縁性の下部コネクタと、
前記第１方向に長い形状を有し、下部が開放されており、側面に、前記下部コネクタの前記固定突起が挿入される固定孔及び前記軸受け部に挿通する固定軸が形成されており、長さ方向の前端部及び後端部にそれぞれ電線を挿入するとともに支持するための支持溝が形成されており、前記下部コネクタを覆う絶縁性の上部コネクタと、
前記下部コネクタの内部に組み立てられ、電線の被覆を剥がし、前記電線の心線と電気的に連結される複数の切刃を含む伝導性部材と、を含む。
【０００８】
上記電線コネクタは、前記固定軸を基準に第１領域と第２領域とに区分され、
前記第１領域には、前記固定突起、前記固定孔及び前記案内孔が形成され、前記電線が前記第１方向に挿入され、
前記第２領域には、上部コネクタ及び下部コネクタの側面に前記支持溝を含み、前記第１方向と垂直の第２方向に前記電線が前記支持溝を通じて挿入され、
前記伝導性部材は、側面に突出する切刃を含むことができる。
【発明の効果】
【０００９】
本発明によれば、別の工具無しで電線を連結することができ、複数の電線を同時に連結できるために経済的であり、内部の導電部材と外部の絶縁部材を含むので、別の絶縁被覆が要らず、組み立てが簡単になる。
【図面の簡単な説明】
【００１０】
【図１】本発明の第１実施例による電線コネクタの分解図である。
【図２】図１に示す電線コネクタの電線挿入前の構成図である。
【図３】図１に示す電線コネクタの電線挿入後の構成図である。
【図４】図３に示す電線コネクタの断面図である。
【図５】本発明の第２実施例による電線コネクタの分解図である。
【図６】図５に示す電線コネクタの結合図である。
【図７】本発明の第３実施例による電線コネクタの分解図である。
【図８】図７に示す電線コネクタの結合図である。
【図９】図７に示す電線コネクタの結合図である。
【図１０】本発明の第４実施例による電線コネクタの斜視図である。
【図１１】図１０に示す電線コネクタの上部コネクタが持ち上げられている状態を示す斜視図である。
【図１２】図１０に示す電線コネクタの電線挿入後の断面図である。
【図１３】本発明の第５実施例による電線コネクタの斜視図である。
【図１４】図１３に示す電線コネクタの伝導性部材を示す斜視図である。
【図１５】本発明の伝導性部材の他の実施例を示す斜視図である。
【図１６】本発明の伝導性部材のさらに他の実施例を示す斜視図である。
【発明を実施するための形態】
【００１１】
以下、添付の図面を参照しつつ、本発明の実施例を、本発明の属する技術分野における通常の知識を有する者が容易に実施できるように詳細に説明する。ただし、本発明は、下記の実施例に限定されず、様々な形態に具現可能である。なお、図面中、本発明の明確な説明のために説明と関係ない部分は省略し、明細書全体にわたって類似の部分には類似の図面符号を付ける。
【００１２】
明細書全体において、ある部分がある構成要素を“含む”とする場合、これは、特別な記載がない限り、他の構成要素を除外することではなく、他の構成要素をさらに含むということを意味する。
【００１３】
本発明による電線コネクタは、上部及び下部コネクタ及び内部の伝導性部材を組み立てなり、分離されている被覆電線を、別に被覆を除去することなく連結できる構造を提示する。
【００１４】
以下、図１〜図４を参照して、本発明の第１実施例による電線コネクタについて説明する。
【００１５】
図１は、本発明の第１実施例による電線コネクタの分解図であり、図２は、図１に示す電線コネクタの電線挿入前の構成図であり、図３は、図１に示す電線コネクタの電線挿入後の構成図であり、図４は、図３に示す電線コネクタの断面図である。
【００１６】
図１〜図４を参照すると、本発明の第１実施例による電線コネクタは、下部コネクタ１００、上部コネクタ３００及び伝導性部材２００を含む。
【００１７】
下部コネクタ１００は、上面が開放された収容体であり、長さ方向に延びた形状となっており、内部に伝導性部材２００及び電線４００を収容できるような空間を有する。
【００１８】
このような下部コネクタ１００は、前面及び後面に、電線４００を支持できるように半球状の支持溝１３０が形成されており、前面と後面との間に相対向する２つの側面が延在している。
【００１９】
２つの側面には、内側に突出する複数の固定突起１２０が形成されており、複数の固定突起１２０は互いに向かい合って設けられ、図１に示すように４個の固定突起１２０とすることができる。
【００２０】
一方、下部コネクタ１００の２つの側面に、軸開口部１１０が向かい合って形成されている。
【００２１】
軸開口部１１０は、上部が開放されている円形を有し、上部コネクタ３００の固定軸３１０がはめ込まれることで、上部コネクタ３００及び下部コネクタ１００を結合させる。
【００２２】
下部コネクタ１００の側面及び底面上には、伝導性部材２００を固定するための複数の突起を形成することができ、それらの突起は伝導性部材２００の形状によって決定することができる。
【００２３】
伝導性部材２００は、両端部に折り曲がっている折り曲げ面が形成されており、折り曲げ面上に二重の切刃２１０を含む。一方、伝導性部材２００は、折り曲げ面を複数個にすることができ、それぞれの折り曲げ面に二重の切刃２１０が設けられ、少なくとも２つ以上の切刃２１０を含むことができる。
【００２４】
図４に示すように、それぞれの切刃２１０は、相対向する２つのカッティング面を有し、２つのカッティング面の距離が下方に向って次第に狭まる形状を有し（互いに平行であっても良い）、カッティング面の表面にカッティング突起が形成されている。ここで、図４に示すように、相対向する２つのカッティング面上のカッティング突起は、互いに反対方向に形成されている。
【００２５】
このような伝導性部材２００は、通電可能なように導電性材質の金属からなり、強度が強いとともに変性が小さいりん青銅のような銅合金とすればよい。
【００２６】
ここで、伝導性部材２００は、挿入される電線４００の臨界抵抗によって所定の厚さを有することができ、下部コネクタ１００の突起と結合される凹入部（図示せず）を含むことができる。
【００２７】
一方、上部コネクタ３００は、底面が開放された収容体であり、長さ方向に延びた形状となっており、内部に伝導性部材２００及び電線４００を収容している下部コネクタ１００を覆う。
【００２８】
このような上部コネクタ３００は、前面及び後面に、電線４００を支持できるように半球状の支持溝３３０が形成されており、前面と後面との間に向かい合う２つの側面が延在している。
【００２９】
２つの側面には、下部コネクタ１００の固定突起１２０と整合するように複数の固定孔３２０が形成されており、下部コネクタ１００の軸開口部１１０と結合する円形の固定軸３１０が形成されている
上部コネクタ３００は、固定軸３１０を基準に対称になっており、図２に示すように、下部コネクタ１００と結合された状態で、電線４００の挿入のために電線コネクタが持ち上げられるように、薄い厚さの折り線（点線で表示）が形成されている。
【００３０】
また、上部コネクタ３００の上面の裏側には複数の案内孔３５０が形成されている。
【００３１】
図２及び図４に示すように、案内孔３５０は、伝導性部材２００の切刃２１０と整列するように突出して形成されており、固定軸３１０を基準に区分される領域のうち、少なくとも一つの領域に一つ以上の案内孔３５０が形成されている。
【００３２】
このような案内孔３５０は、上部コネクタ３００の上面で下部コネクタ１００に向かって突出しており、上部及び下部コネクタ３００，１００の支持溝３３０，１３０を通過した電線４００が案内孔３５０を通過するように、電線４００の直径よりも大きい直径Ａを有する。
【００３３】
このような上部コネクタ３００及び下部コネクタ１００は、固定突起１２０及び固定孔３２０による固定、及び固定軸３１０と軸開口部１１０による固定のために弾性のプラスチック材質で構成することができる。
【００３４】
このような電線コネクタは、Ｉ形に２本の電線４００を連結するためのもので、固定軸３１０を基準に区分される両領域が互いに対称の構造を有する。
【００３５】
電線コネクタは、まず、図２に示すように、下部コネクタ１００の内部に伝導性部材２００を組み立てる。
【００３６】
このような下部コネクタ１００と伝導性部材２００とは、下部コネクタ１００及び伝導性部材２００に整合するように形成された突起及び溝により組み立てられ、以降、伝導性部材２００が組み立てられた下部コネクタ１００に上部コネクタ３００が組み立てられる。
【００３７】
上部コネクタ３００と下部コネクタ１００の組み立て時には、上部コネクタ３００の固定軸３１０が下部コネクタ１００の軸開口部１１０にはめ込まれるように位置合わせした後に上から下に加圧すると、上部コネクタ３００の固定軸３１０が下部コネクタ１００の軸開口部１１０の開放された部分を通って下部コネクタ１００の軸開口部１１０に結合される。
【００３８】
この状態で、上部コネクタ３００を、折り線を基準に両端を上方に持ち上げると、上部コネクタ３００上面の裏側が図２のように露出される。
【００３９】
この露出された上部コネクタ３００の案内孔３５０を通過するように電線４００を挿入する。
【００４０】
露出されている両側の案内孔３５０に２本の電線４００が挿入されると、図３に示すように、上から下に加圧して上部コネクタ３００及び下部コネクタ１００を組み立てる。
【００４１】
この時、下部コネクタ１００の複数の固定突起１２０が上部コネクタ３００の固定孔３２０にはめ込まれることで、上部コネクタ３００及び下部コネクタ１００が結合状態を維持する
上部コネクタ３００と下部コネクタ１００とが結合された電線コネクタは、図４に示すように、上部コネクタ３００の案内孔３５０が伝導性部材２００の切刃２１０と整列されており、案内孔３５０に挿通された電線４００は切刃２１０により被覆４２０が剥がれながら、切刃２１０が心線４１０の外周から所定深さ入り込んで固定される。
【００４２】
したがって、一方の電線４００と他方の電線４００が切刃２１０を介して電気的に連結され、物理的にも確実に固定される。
【００４３】
この時、被覆されている電線４００の直径は、案内孔３５０の直径Ａ以下の所定範囲とする。
【００４４】
このように、図１〜図４に示す電線コネクタは、Ｉ形の電線コネクタであり、２本の電線４００を上部コネクタ３００の両案内孔３５０に挿入固定した状態で、上部コネクタ３００を下部コネクタ１００に加圧して結合させると、電線４００が上から下に移動しながら切刃２１０により被覆４２０が剥がれ、離脱せずに強固に固定される原理で動作する。
【００４５】
以下では、図５及び図６を参照して、本発明の第２実施例による電線コネクタについて説明する。
【００４６】
図５は、本発明の第２実施例による電線コネクタの分解図であり、図６は、図５に示す電線コネクタの結合図である。
【００４７】
図５及び図６を参照すると、本発明の第２実施例による電線コネクタは、Ｔ形に２本の電線６５０を結合するためのもので、一方向に進行する第１電線６５０と、第１電線６５０と垂直方向に進行する第２電線６５０とを電気的に連結するための装置である。
【００４８】
Ｔ形の電線コネクタは、第１実施例と同様に、下部コネクタ５００、伝導性部材５５０及び上部コネクタ６００を含み、Ｉ形の電線コネクタと同様に、第１電線６５０が挿入される一側の構成は、図１〜図４の構成と同一なので、その詳細説明は省略する。
【００４９】
第１電線６５０と垂直に第２電線６５０が挿入される領域における下部コネクタ５００は、図１と違い、両側面に、前面と同一の支持溝５３０が形成されており、伝導性部材５５０は、側面に突出している切刃５８０を含む。
【００５０】
また、上部コネクタ６００は、下部コネクタ５００と同様に、両側面に支持溝６３０が形成されており、上面の裏面に加圧部材（図示せず）をさらに含むことができる。
【００５１】
このようなＴ形の電線コネクタは、図６のように組み立てられ、折り線（図５の点線）を基準に上部コネクタ６００両側を上方に持ち上げ、第１及び第２電線６５０を挿入する。
【００５２】
この時、第１電線６５０を、第１実施例と同様に、案内孔６４０に挿通し、第２電線６５０を下部コネクタ５００の両側面の支持溝５３０上に置いた後、上部コネクタ６００を下方に加圧すると、切刃５７０，５８０により第１及び第２電線６５０の被覆６７０が剥がれ、切刃５７０，５８０が電線６５０の心線６６０に入り込むことで、伝導性部材５５０を介して第１及び第２電線６５０が電気的に連結される。
【００５３】
このようにＴ形に電線６５０を連結する構造では、伝導性部材５５０の一端部において切刃５８０を側面に形成し、上部及び下部コネクタ６００，５００の一端部において支持溝６３０，５３０を側面に形成する。
【００５４】
以下、図７〜図９を参照して本発明の第３実施例による電線コネクタを説明する。
【００５５】
図７は、本発明の第３実施例による電線コネクタの分解図であり、図８及び図９は、図７に示す電線コネクタの結合図である。
【００５６】
図７を参照すると、本発明の第３実施例による電線コネクタは、下部コネクタ７００、伝導性部材７５０、上部コネクタ８００及び２個の固定片８５０を含む。
【００５７】
下部コネクタ７００は、上面が開放された収容体であり、長さ方向に延びる形状となっており、内部に伝導性部材７５０及び電線９５０を収容できるような空間を有する。
【００５８】
このような下部コネクタ７００は、前面及び後面に電線を通過させるための挿入孔７２０が形成されており、側面には回転芯９００が挿入される回転孔７１０が形成されている。
【００５９】
回転孔７１０は、両側面に対応して形成され、一側面につき２個の回転孔７１０が形成される。
【００６０】
伝導性部材７５０は、図１と同様に、両端部が折り曲がっており、この折り曲げ部に二重の切刃７６０を含む。切刃７６０は、図１〜図４と同様にして形成すればいいので、その詳細は省略する。
【００６１】
一方、上部コネクタ８００は、長さ方向に延びる形状となっており、内部に伝導性部材７５０を収容する下部コネクタ７００を覆う。
【００６２】
上部コネクタ８００の裏側に、複数の案内孔８２０が形成されており、案内孔８２０の形状は図２と同様にする。
【００６３】
また、２個の固定片８５０は互いに同一の形状とし、固定面８８０から延突するフック８６０を含む。
【００６４】
ここで、固定面８８０とフック８６０との間において、下部コネクタ７００の側面回転孔７１０と整合する回転孔８７０が形成されている。
【００６５】
このような電線コネクタは、図８に示すように、下部コネクタ７００の内部に導電部材７５０を固定し、上部コネクタ８００で覆った後、固定片８５０の回転孔８７０と下部コネクタ７００の回転孔７１０とを整合させた状態で回転芯９００を挿通させる。
【００６６】
この状態で、上部コネクタ８００上の固定片８５０の固定面８８０を上方に開くと、上部コネクタ８００と下部コネクタ７００との固定が緩まる。
【００６７】
固定片８５０を開いた状態で、両側の挿入孔７２０に２本の電線９５０を挿入すると、電線９５０は、挿入孔７２０を通過し、挿入孔７２０と整列されている上部コネクタ８００の案内孔８２０を通過する。
【００６８】
両側の電線９５０が完全に挿入されると、固定片８５０の固定面８８０を上部コネクタ８００上に置かれるように下方に加圧して固定させる。
【００６９】
図９に示すように、固定面８８０が上部コネクタ８００上に置かれると、固定片８５０により上部コネクタ８００が下方に加圧されつつ固定され、電線９５０は切刃７６０により被覆が剥がれながら切刃７６０と電気的に接触している状態を維持することとなる。
【００７０】
図７〜図９に示す本発明の第３実施による電線コネクタでは、２本の電線９５０を電気的に連結した後、固定片８５０を開いて電線を分離して排出することができ、電線９５０が分離された後、他の電線と結合可能な構造を有する。
【００７１】
したがって、第３実施例による電線コネクタの一側が、電気機構から連結されている電線と連結されることができ、例えば、電球、電熱機具、通信装備などのような電気機構の電線の末端に結合しておくことができる。
【００７２】
電気機構の電線の末端に第３実施例による電線コネクタを連結させておく場合、この電線コネクタと、電気機構が配置される領域における電源電線とを通電させることができ、以降、電気機構を移す時には再び分離して他の領域における電源電線と連結することができる。
【００７３】
図１０〜図１２を参照すると、本発明の第４実施例による電線コネクタは、下部コネクタ１０、上部コネクタ３０及び伝導性部材２０を含む。
【００７４】
下部コネクタ１０は、上面が開放された収容体であり、長さ方向に延びる形状となっており、内部に伝導性部材２０及び電線４０を収容できるような空間を有する。
【００７５】
このような下部コネクタ１０は、長さ方向の前端及び後端に電線４０を支持できるように半球状の支持溝１３が形成されており、前端と後端との間に互いに向かい合う２つの側面が延在している。
【００７６】
下部コネクタ１０の底面において長さ方向の両端には、上方に突出し、その上端から再び外側に延突する複数の固定突起１２が設けられており、複数の固定突起１２は相対向して形成され、図１１に示すように４個の固定突起１２とすることができる。
【００７７】
一方、下部コネクタ１０の中央の両側面には、軸受け部１１が相対向して穿設されている。
【００７８】
軸受け部１１は、側面を貫通する貫通孔であり、上部コネクタ３０の固定軸３１が挿通することで、上部コネクタ３０と下部コネクタ１０とを結合させる。
【００７９】
伝導性部材２０は、両端部にコの字状に折り曲げられた複数の折り曲げ部を有し、折り曲げ部上に二重の切刃２１を含む。一方、伝導性部材２０のそれぞれの折り曲げ部に二重の切刃２１が形成され、少なくとも２つの切刃２１を含むことができる。
【００８０】
それぞれの切刃２１は、向かい合う２つのカッティング面を有し、２つのカッティング面は互いに並ぶ形状、または、下方に行くほど次第にその距離が狭まる形状にすることができ、カッティング面の表面にはカッティング突起が形成されている。
【００８１】
このような伝導性部材２０は、通電可能なように導電性材質の金属から形成されており、強度が強いとともに変性が小さいりん青銅のような銅合金からなることができる。
【００８２】
この場合、伝導性部材２０は、挿入される電線４０の臨界抵抗によって所定の厚さを有することができる。
【００８３】
一方、上部コネクタ３０は、底面が開放された収容体であり、長さ方向に延びる形状となっており、内部に伝導性部材２０及び電線４０が受容されている下部コネクタ１０を覆う。
【００８４】
このような上部コネクタ３０は、前面及び後面に電線４０を支持できるように半球状の支持溝３３が形成されており、長さ方向の前端と後端との間に相対向する２つの側面が延在している。
【００８５】
２つの側面には、下部コネクタ１０の固定突起１２が挿着されるような複数の固定孔３２が形成されており、下部コネクタ１０の軸受け部１１に挿着される固定軸３１が設けられている。
【００８６】
上部コネクタ３０は、固定軸３１を基準に対称になっており、下部コネクタ１０と結合した状態で電線４０の挿入のために電線コネクタが持ち上げられるように、薄い厚さの折り線（点線で表示）が形成されている。
【００８７】
また、上部コネクタ３０の上面の裏側には複数の案内孔３５が形成されている。
【００８８】
案内孔３５は、固定突起１２と整合するように突出形成されており、固定軸３１を基準に区分される領域のうち、少なくとも一方の領域に一つ以上の案内孔３５が形成されている。
【００８９】
このような案内孔３５は、上部及び下部コネクタ３０，１０の支持溝３３，１３を通過した電線４０が案内孔３５を通過するように、電線４０の直径よりも大きい直径を有する。
【００９０】
そして、上部コネクタ３０の中央部の裏面には、伝導性部材２０の上面を加圧して固定させるために下方に突出した板状の固定片３６が形成されることができ、このような固定片３６は、伝導性部材２０の形状に応じて決定することができる。
【００９１】
このような上部コネクタ３０及び下部コネクタ１０は、固定突起１２及び固定孔３２による固定及び固定軸３１と軸受け部１１による固定のために弾性のプラスチック材質とすることができる。
【００９２】
このような電線コネクタは、Ｉ形に２本の電線４０を連結するためのもので、固定軸３１を基準に区分される両領域が互いに対称の構造を有する。
【００９３】
この電線コネクタは、まず、図１１に示すように、下部コネクタ１０の内部に伝導性部材２０を組み立てる。
【００９４】
上部コネクタ３０と下部コネクタ１０とは、上部コネクタ３０の固定軸３１が下部コネクタ１０の軸受け部１１に挿着されながら互いに結合する。
【００９５】
この時、伝導性部材２０は、下部コネクタ１０に組み立てられる上部コネクタ３０の固定片３６により加圧固定される。
【００９６】
この状態で、上部コネクタ３０を折り線を中心に両端を上方に持ち上げると、上部コネクタ３０上面の裏側が露出される。
【００９７】
この露出された上部コネクタ３０の案内孔３５に電線４０を通過させる。
【００９８】
露出されている両側の案内孔３５に２本の電線４０が完全に挿通すると、持ち上げられていた上部コネクタ３０を下方に加圧して上部コネクタ３０及び下部コネクタ１０を組み立てる。
【００９９】
このとき、下部コネクタ１０の複数の固定突起１２が上部コネクタ３０の固定孔３２と結合することで、上部コネクタ３０及び下部コネクタ１０は結合状態を維持する。
【０１００】
上部コネクタ３０と下部コネクタ１０とが結合した電線コネクタは、上部コネクタ３０の案内孔３５が伝導性部材２０の切刃２１と整列されており、案内孔３５を通過した電線４０は切刃２１により被覆４２が剥がれ、切刃２１が心線４１の外周から所定深さ入り込んで固定される。
【０１０１】
したがって、一方の電線４０と他方の電線４０とが切刃２１を介して電気的に連結され、物理的にも強固に固定される。
【０１０２】
ここで、被覆されている電線４０の直径は、案内孔３５の直径以下の所定範囲とする。
【０１０３】
このように、図１０〜図１２に示す電線コネクタは、Ｉ形の電線コネクタであり、２本の電線４０を上部コネクタ３０の両側案内孔３５に挿通させた状態で、上部コネクタ３０を下部コネクタ１０に加圧して結合させると、電線４０が上から下に加圧されながら切刃２１により被覆４２が剥がれ、離脱することなく強固に固定される原理で動作する。
【０１０４】
以下、図１３及び図１４を参照して、本発明の第５実施例による電線コネクタについて説明する。
【０１０５】
本発明の第５実施例による電線コネクタは、Ｔ形に２本の電線６５を結合させるためのもので、一方向に進行する第１電線６５と第１電線６５と垂直方向に進行する第２電線６５とを電気的に連結させるための装置である。
【０１０６】
Ｔ形の電線コネクタは、第４実施例と同様に、下部コネクタ５０、伝導性部材５５及び上部コネクタ６０を含み、Ｉ形の電線コネクタと同様に、第１電線６５が挿入される一側の構成は、図１０〜図１２の構成と同一なので、その詳細説明は省略する。
【０１０７】
第１電線６５と垂直に第２電線６５が挿入される領域における下部コネクタ５０は、図１０と違い、両側面に前面と同様の支持溝５３が形成されており、伝導性部材５５は側面に突出されている切刃５８を含む。
【０１０８】
また、上部コネクタ６０は、下部コネクタ５０と同様に、両側面に支持溝６３が形成されており、上面の裏面に加圧部材（図示せず）をさらに含むことができる。
【０１０９】
このようなＴ形の電線コネクタは、図１３に示すように組み立てられ、折り線（図１３で点線で表示）を中心に上部コネクタ６０の両端を上方に持ち上げ、第１及び第２電線６５を挿入する。
【０１１０】
この状態で、第１電線６５を、第４実施例と同様に、案内孔６４に挿通させ、第２電線６５を下部コネクタ５０の両側面の支持溝５３上に置いた後、上部コネクタ６０を下方に加圧すると、切刃５７，５８により第１及び第２電線６５の被覆６７が剥がれ、切刃５７，５８が電線６５の心線６６に入り込むことで、伝導性部材５５を介して第１及び第２電線６５が電気的に連結される。
【０１１１】
このように、Ｔ形に電線６５を連結する時、伝導性部材５５の一端部において切刃５８を側面に形成し、上部及び下部コネクタ６０，５０の一端部において支持溝６３，５３を側面に形成する。
【０１１２】
一方、図１５及び図１６は、本発明に適用される伝導性部材のさらに他の実施例であり、この伝導性部材７０，８０は、長い帯状の板材において両側にそれぞれ尖るピン形状の切刃７１，８１を複数個形成した後、これら切刃７１，８１を切って上方に直立させる構造となっている。
【０１１３】
このような伝導性部材７０，８０は、電線連結時に、切刃７１，８１が電線の中心部を貫通して電気的に連結されるようになっている。
【０１１４】
ここで、図１５の切刃７１はそれぞれ長さ方向に沿って一定間隔離間した構造としており、図１６の切刃８１は、それぞれ２つずつ対をなして密着される構造としている。
【０１１５】
以上では、本発明の電線コネクタが２本の電線を連結する場合について説明したが、これに限定されず、１：ＮまたはＮ：Ｍに電線を連結することもでき、装置の構造は様々に変更可能である。
【図１】
2011065978.tif 000003
【図２】
2011065978.tif 000004
【図３】
2011065978.tif 000005
【図４】
2011065978.tif 000006
【図５】
2011065978.tif 000007
【図６】
2011065978.tif 000008
【図７】
2011065978.tif 000009
【図８】
2011065978.tif 000010
【図９】
2011065978.tif 000011
【図１０】
2011065978.tif 000012
【図１１】
2011065978.tif 000013
【図１２】
2011065978.tif 000014
【図１３】
2011065978.tif 000015
【図１４】
2011065978.tif 000016
【図１５】
2011065978.tif 000017
【図１６】
2011065978.tif 000018